(57)【要約】      （修正有）【課題】高さを調整して位置決めを行い、高さの調整をスムーズに行う椅子用アームレストの昇降構造を提供する。【解決手段】椅子用アームレストの昇降構造は、アームレスト本体１、昇降構造２、スリーブ３、アームレストフレーム４及び押圧体５を備える。アームレスト本体１の適宜な箇所には、２つのネジ孔が設けられている。スリーブ３は、アームレストフレーム４を挿入するために用いる中空部４０を有し、頂部の両側にそれぞれ貫通孔３１が設けられ、その側部の適宜な箇所に位置決め体２３が貫設される方形状孔３２が設けられている。アームレストフレーム４は、昇降構造２を収納する中空部を有する。押圧体５は、Ｌ字状であり、方形状溝を垂直面に有する。昇降構造２は、Ｔ字体２１、係合体２２、位置決め体２３、弾性部材２４、左被覆体２５ａ及び右被覆体２５ｂを有する。【選択図】図３
0003162530.tif 000002
【実用新案登録請求の範囲】
【請求項１】
アームレスト本体、昇降構造、スリーブ、アームレストフレーム及び押圧体を備える椅子用アームレストの昇降構造であって、
前記アームレスト本体の適宜な箇所には、２つのネジ孔が設けられ、
前記スリーブは、前記アームレストフレームを挿入するために用いる中空部を有し、頂部の両側にそれぞれ貫通孔が設けられ、その側部の適宜な箇所に位置決め体が貫設される方形状孔が設けられ、
前記アームレストフレームは、前記昇降構造を収納する中空部を有し、
前記押圧体は、Ｌ字状であり、方形状溝を垂直面に有し、
前記昇降構造は、Ｔ字体、係合体、位置決め体、弾性部材、左被覆体及び右被覆体を有し、前記Ｔ字体は、頂部の両側に前記アームレスト本体の前記ネジ孔に対応するように貫通孔が設けられ、垂直セクションの側部には、前記位置決め体を設置するために用いる凹部が設けられ、前記凹部は、上部の適宜な箇所に突起部が設けられ、下部の適宜な箇所に上部凸縁及び下部凸縁が設けられ、前記上部凸縁と前記下部凸縁との間には、収納空間が設けられ、前記Ｔ字体の後側の下部には、位置規制突起部が設けられ、
前記係合体は、下に弧状凹部を有する曲がり部が頂端に設けられ、側部に方形状溝が設けられ、底端の適宜な箇所に突起部が設けられ、
前記位置決め体は、頂部に設けられた凸縁と、前記Ｔ字体の前記突起部に対応するように上部に設けられた楕円孔と、下部に設けられた逆Ｌ字形貫通孔とを有し、
前記左被覆体は、適宜な箇所に設けられた条孔と、均等に間隔をおいて両側に設けられた複数の円状溝とを有し、
前記右被覆体は、前記左被覆体に設けた前記条孔に対応するように、均等に間隔をおいて設けられた複数の係合溝を有する条孔を有し、前記左被覆体の両側に設けた前記円状溝に対応するように、前記円状溝の中に挿入する円状突起部が両側に設けられ、
前記係合体の頂端の前記曲がり部下に設けた前記弧状凹部は、前記Ｔ字体の前記凹部の前記下部凸縁と係合し、前記凹部の前記上部凸縁と前記下部凸縁との間に形成した前記収納空間の中に前記係合体の前記曲がり部を配置し、前記Ｔ字体の前記凹部の壁面と前記係合体に設けた前記方形状溝との間に前記弾性部材を配置してから、前記Ｔ字体の前記凹部の中に前記位置決め体を配置し、前記Ｔ字体の上部の前記突起部に上部の前記楕円孔を外嵌し、前記位置決め体の下端に設けた前記逆Ｌ字形貫通孔へ、前記係合体の底端に設けた前記突起部を貫設し、前記左被覆体及び前記右被覆体により前記Ｔ字体の両側面をそれぞれ覆ってから、前記左被覆体の前記円状溝に前記右被覆体の前記円状突起部を嵌合し、前記左被覆体に設けた前記条孔の中に、前記Ｔ字体の後側の下部に設けた前記突起部が入り、前記位置決め体に設けた前記逆Ｌ字形貫通孔へ、前記係合体の底端に設けた前記突起部を貫設した後、前記右被覆体に設けた前記条孔の前記係合溝の１つに入り、
前記スリーブの前記中空部に、前記アームレストフレームを配置すると、前記アームレストフレームの中空部に前記昇降構造が位置し、前記スリーブの側部に設けた前記方形状孔に、前記位置決め体の頂部の前記凸縁を貫設し、前記位置決め体の頂部の前記凸縁に前記押圧体が外嵌し、前記アームレスト本体の前記ネジ孔と、前記昇降構造の前記Ｔ字体の前記貫通孔と、前記スリーブの頂部に設けた前記貫通孔とを位置合わせしてから締結することを特徴とする椅子用アームレストの昇降構造。
【請求項２】
前記係合体は、前記Ｔ字体の前記下部凸縁に係合した前記弧状凹部を支点として、前記係合溝から出るように前記突起部を回転させ、前記方形状溝に設けた前記弾性部材の弾性回復力により、対応する前記係合溝の中に前記突起部を嵌合させることを特徴とする請求項１に記載の椅子用アームレストの昇降構造。
【請求項３】
前記Ｔ字体を上下に調整する際、前記Ｔ字体の上下の移動範囲を拘束するために、前記Ｔ字体の後側に設けた前記位置規制突起部が前記左被覆体の前記条孔の中で上下に変位することを特徴とする請求項１に記載の椅子用アームレストの昇降構造。
【請求項４】
前記位置決め体は、前記押圧体の押圧により上方へ移動可能な状態となり、前記位置決め体の前記逆Ｌ字形貫通孔の左側の底端に前記係合体の前記突起部が位置すると、前記位置決め体の前記逆Ｌ字形貫通孔により、前記係合体の前記突起部が位置決めされ、前記右被覆体の前記係合溝に嵌入されず、前記押圧体が押圧された状態で、前記アームレスト本体が押下されると底部までスムーズに変位し、前記アームレスト本体を最低位置から上方へ引き上げ、位置を調整して位置決めすることを特徴とする請求項１に記載の椅子用アームレストの昇降構造。
【請求項５】
アームレスト本体、昇降構造、スリーブ及びアームレストフレームを備える椅子用アームレストの昇降構造であって、
前記アームレスト本体の適宜な箇所には、２つのネジ孔が設けられ、
前記スリーブは、前記アームレストフレームを挿入するために用いる中空部を有し、頂部の両側にそれぞれ貫通孔が設けられ、
前記アームレストフレームは、前記昇降構造を収納する中空部を有し、
前記昇降構造は、Ｔ字体、係合体、位置決め体、弾性部材、左被覆体及び右被覆体を有し、前記Ｔ字体は、頂部の両側に前記アームレスト本体の前記ネジ孔に対応するように貫通孔が設けられ、垂直セクションの側部には、前記位置決め体を設置するために用いる凹部が設けられ、前記凹部は、上部の適宜な箇所に突起部が設けられ、下部の適宜な箇所に上部凸縁及び下部凸縁が設けられ、前記上部凸縁と前記下部凸縁との間には、収納空間が設けられ、前記Ｔ字体の後側の下部には、位置規制突起部が設けられ、
前記係合体は、下方に弧状凹部を有する曲がり部が頂端に設けられ、側部に方形状溝が設けられ、底端の適宜な箇所に突起部が設けられ、
前記位置決め体は、四方体であり、適宜な箇所にＬ字体貫通孔が設けられ、前記Ｌ字体貫通孔の上下部分には、それぞれ円状突起部が設けられ、側部に中空状の波状凸縁が設けられ、
前記左被覆体は、適宜な箇所に設けられた条孔と、均等に間隔をおいて両側に設けられた複数の円状溝とを有し、
前記右被覆体は、前記左被覆体に設けた前記条孔に対応するように、均等に間隔をおいて設けられた複数の係合溝を有する条孔を有し、前記左被覆体の両側に設けた前記円状溝に対応するように、前記円状溝の中に挿入する円状突起部が両側に設けられ、
前記係合体の頂端の前記曲がり部下に設けた前記弧状凹部は、前記Ｔ字体の前記凹部の前記下部凸縁と係合し、前記凹部の前記上部凸縁と前記下部凸縁との間に形成した前記収納空間の中に前記係合体の前記曲がり部を配置し、前記Ｔ字体の前記凹部の壁面と前記係合体に設けた前記方形状溝との間に前記弾性部材を配置してから、前記Ｔ字体の前記凹部の中に前記位置決め体を配置し、前記位置決め体に設けた前記Ｌ字形貫通孔へ、前記係合体の底端に設けた前記突起部を貫設し、前記左被覆体及び前記右被覆体により前記Ｔ字体の両側面をそれぞれ覆ってから、前記左被覆体の前記円状溝に前記右被覆体の前記円状突起部を嵌合し、前記右被覆体に設けた前記条孔の中に、前記位置決め体の上下に設けた前記円状突起部が入り、前記左被覆体に設けた前記条孔の中に、前記Ｔ字体の後側の下部に設けた前記位置規制突起部が入り、前記位置決め体に設けた前記Ｌ字形貫通孔へ、前記係合体の底端に設けた前記突起部を貫設した後、前記右被覆体に設けた前記条孔の前記係合溝の１つに入り、
前記スリーブの前記中空部に、前記アームレストフレームを配置すると、前記アームレストフレームの前記中空部に前記昇降構造が位置し、前記アームレスト本体の前記ネジ孔と、前記昇降構造の前記Ｔ字体の前記貫通孔と、前記スリーブの頂部に設けた前記貫通孔とを位置合わせしてから締結することを特徴とする椅子用アームレストの昇降構造。
【請求項６】
前記係合体は、前記Ｔ字体の前記下部凸縁に係合した前記弧状凹部を支点として、前記係合溝から出るように前記突起部を回転させ、前記方形状溝に設けた前記弾性部材の弾性回復力により、対応する前記係合溝の中に前記突起部を嵌合させることを特徴とする請求項５に記載の椅子用アームレストの昇降構造。
【請求項７】
前記Ｔ字体を上下に調整する際、前記Ｔ字体の上下の移動範囲を拘束するために、前記Ｔ字体の後側に設けた前記位置規制突起部が前記左被覆体の前記条孔の中で上下に変位することを特徴とする請求項５に記載の椅子用アームレストの昇降構造。
【請求項８】
前記昇降構造の前記位置決め体の上方に設けた前記円状突起部が、前記右被覆体の前記条孔の最上端に当接されると上方へ変位しなくなるため、前記係合体の前記突起部が上方へ変位しなくなり、前記位置決め体の前記Ｌ字形貫通孔の左側頂端に位置すると、前記位置決め体の前記Ｌ字形貫通孔により、前記係合体の前記突起部が位置決めされ、前記右被覆体の前記係合溝に係合されず、前記アームレスト本体が押下されると底部までスムーズに変位し、前記アームレスト本体を最低位置から上方へ持ち上げ、位置を調整して位置決めすることを特徴とする請求項５に記載の椅子用アームレストの昇降構造。
【考案の詳細な説明】
【技術分野】
【０００１】
本考案は、椅子用アームレストの昇降構造に関するものであり、さらに詳しくは、アームレストの高さを所望の位置にスムーズに調整して固定することが可能な椅子用アームレストの昇降構造に関するものである。
【背景技術】
【０００２】
一般に市販されている椅子は、アームレストの昇降構造に、アームレストの接合ベースの空間内で歯状部を有するプレート体を摺動させ、所定のピンにより係止し、アームレストの位置決めを行うものである。
【０００３】
しかし、アームレストの高さを所望の位置にスムーズに調整するには改良すべき点が残されている。
【考案の開示】
【考案が解決しようとする課題】
【０００４】
従って、本考案の課題は、椅子のアームレストの高さを所望の位置に調整し固定することが可能なアームレストの昇降構造を提供することにある。
【課題を解決するための手段】
【０００５】
そこで、本考案者は、前記の本考案の課題を解決するため、鋭意検討を重ねた結果、後記の如き昇降構造の構成に着目し、かかる知見に基いて本考案を想到するに至った。
【０００６】
すなわち、本考案の第１の目的は、アームレスト本体の高さを所望の位置に調整して固定し、ユーザの腕を良好に支持することにより、座り心地を快適にする椅子用アームレストの昇降構造を提供することにある。
【０００７】
本考案の第２の目的は、押圧体によりアームレスト本体及び昇降構造を駆動させ、右被覆体に設けた係合溝から昇降構造の係合体に設けた突起部を外すことにより、アームレストの位置を上下に調整したり、右被覆体に設けた係合溝に突起部を係合させ、アームレストを所望の位置に簡単に固定することができる椅子用アームレストの昇降構造を提供することにある。
【０００８】
本考案の第３の目的は、昇降構造のＴ字体の適宜な箇所に設けられた位置規制突起部を左被覆体の条孔の中に挿設することにより、昇降構造の上下の移動範囲を制限する椅子用アームレストの昇降構造を提供することにある。
【０００９】
かくして、本考案によれば、前記課題を解決するために、本考案の第１の実施形態によれば、アームレスト本体、昇降構造、スリーブ、アームレストフレーム及び押圧体を備える椅子用アームレストの昇降構造であって、
前記アームレスト本体の適宜な箇所には、２つのネジ孔が設けられ、
前記スリーブは、前記アームレストフレームを挿入するために用いる中空部を有し、頂部の両側にそれぞれ貫通孔が設けられ、その側部の適宜な箇所に位置決め体が貫設される方形状孔が設けられ、
前記アームレストフレームは、前記昇降構造を収納する中空部を有し、前記押圧体は、Ｌ字状であり、方形状溝を垂直面に有し、
前記昇降構造は、Ｔ字体、係合体、位置決め体、弾性部材、左被覆体及び右被覆体を有し、前記Ｔ字体は、頂部の両側に前記アームレスト本体の前記ネジ孔に対応するように貫通孔が設けられ、垂直セクションの側部には、前記位置決め体を設置するために用いる凹部が設けられ、前記凹部は、上部の適宜な箇所に突起部が設けられ、下部の適宜な箇所に上部凸縁及び下部凸縁が設けられ、前記上部凸縁と前記下部凸縁との間には、収納空間が設けられ、前記Ｔ字体の後側の下部には、位置規制突起部が設けられ、
前記係合体は、下に弧状凹部を有する曲がり部が頂端に設けられ、側部に方形状溝が設けられ、底端の適宜な箇所に突起部が設けられ、
前記位置決め体は、頂部に設けられた凸縁と、前記Ｔ字体の前記突起部に対応するように上部に設けられた楕円孔と、下部に設けられた逆Ｌ字形貫通孔とを有し、前記左被覆体は、適宜な箇所に設けられた条孔と、均等に間隔をおいて両側に設けられた複数の円状溝とを有し、
前記右被覆体は、前記左被覆体に設けた前記条孔に対応するように、均等に間隔をおいて設けられた複数の係合溝を有する条孔を有し、前記左被覆体の両側に設けた前記円状溝に対応するように、前記円状溝の中に挿入する円状突起部が両側に設けられ、
前記係合体の頂端の前記曲がり部下に設けた前記弧状凹部は、前記Ｔ字体の前記凹部の前記下部凸縁と係合し、前記凹部の前記上部凸縁と前記下部凸縁との間に形成した前記収納空間の中に前記係合体の前記曲がり部を配置し、前記Ｔ字体の前記凹部の壁面と前記係合体に設けた前記方形状溝との間に前記弾性部材を配置してから、前記Ｔ字体の前記凹部の中に前記位置決め体を配置し、前記Ｔ字体の上部の前記突起部に上部の前記楕円孔を外嵌し、前記位置決め体の下端に設けた前記逆Ｌ字形貫通孔へ、前記係合体の底端に設けた前記突起部を貫設し、前記左被覆体及び前記右被覆体により前記Ｔ字体の両側面をそれぞれ覆ってから、前記左被覆体の前記円状溝に前記右被覆体の前記円状突起部を嵌合し、前記左被覆体に設けた前記条孔の中に、前記Ｔ字体の後側の下部に設けた前記突起部が入り、前記位置決め体に設けた前記逆Ｌ字形貫通孔へ、前記係合体の底端に設けた前記突起部を貫設した後、前記右被覆体に設けた前記条孔の前記係合溝の１つに入り、
前記スリーブの前記中空部に、前記アームレストフレームを配置すると、前記アームレストフレームの中空部に前記昇降構造が位置し、前記スリーブの側部に設けた前記方形状孔に、前記位置決め体の頂部の前記凸縁を貫設し、前記位置決め体の頂部の前記凸縁に前記押圧体が外嵌し、前記アームレスト本体の前記ネジ孔と、前記昇降構造の前記Ｔ字体の前記貫通孔と、前記スリーブの頂部に設けた前記貫通孔とを位置合わせしてから締結することを特徴とする椅子用アームレストの昇降構造が提供される。
【００１０】
前記第１の実施形態において、前記係合体は、前記Ｔ字体の前記下部凸縁に係合した前記弧状凹部を支点として、前記係合溝から出るように前記突起部を回転させ、前記方形状溝に設けた前記弾性部材の弾性回復力により、対応する前記係合溝の中に前記突起部を嵌合させることが好ましい。
【００１１】
前記第１の実施形態において、前記Ｔ字体を上下に調整する際、前記Ｔ字体の上下の移動範囲を拘束するために、前記Ｔ字体の後側に設けた前記位置規制突起部が前記左被覆体の前記条孔の中で上下に変位することが好ましい。
【００１２】
前記第１の実施形態において、前記位置決め体は、前記押圧体の押圧により上方へ移動可能な状態となり、前記位置決め体の前記逆Ｌ字形貫通孔の左側の底端に前記係合体の前記突起部が位置すると、前記位置決め体の前記逆Ｌ字形貫通孔により、前記係合体の前記突起部が位置決めされ、前記右被覆体の前記係合溝に嵌入されず、前記押圧体が押圧された状態で、前記アームレスト本体が押下されると底部までスムーズに変位し、前記アームレスト本体を最低位置から上方へ引き上げ、位置を調整して位置決めすることが好ましい。
【００１３】
本考案の第２の実施形態によれば、アームレスト本体、昇降構造、スリーブ及びアームレストフレームを備える椅子用アームレストの昇降構造であって、
前記アームレスト本体の適宜な箇所には、２つのネジ孔が設けられ、
前記スリーブは、前記アームレストフレームを挿入するために用いる中空部を有し、頂部の両側にそれぞれ貫通孔が設けられ、
前記アームレストフレームは、前記昇降構造を収納する中空部を有し、
前記昇降構造は、Ｔ字体、係合体、位置決め体、弾性部材、左被覆体及び右被覆体を有し、前記Ｔ字体は、頂部の両側に前記アームレスト本体の前記ネジ孔に対応するように貫通孔が設けられ、垂直セクションの側部には、前記位置決め体を設置するために用いる凹部が設けられ、前記凹部は、上部の適宜な箇所に突起部が設けられ、下部の適宜な箇所に上部凸縁及び下部凸縁が設けられ、前記上部凸縁と前記下部凸縁との間には、収納空間が設けられ、前記Ｔ字体の後側の下部には、位置規制突起部が設けられ、
前記係合体は、下方に弧状凹部を有する曲がり部が頂端に設けられ、側部に方形状溝が設けられ、底端の適宜な箇所に突起部が設けられ、
前記位置決め体は、四方体であり、適宜な箇所にＬ字体貫通孔が設けられ、前記Ｌ字体貫通孔の上下部分には、それぞれ円状突起部が設けられ、側部に中空状の波状凸縁が設けられ、
前記左被覆体は、適宜な箇所に設けられた条孔と、均等に間隔をおいて両側に設けられた複数の円状溝とを有し、
前記右被覆体は、前記左被覆体に設けた前記条孔に対応するように、均等に間隔をおいて設けられた複数の係合溝を有する条孔を有し、前記左被覆体の両側に設けた前記円状溝に対応するように、前記円状溝の中に挿入する円状突起部が両側に設けられ、
前記係合体の頂端の前記曲がり部下に設けた前記弧状凹部は、前記Ｔ字体の前記凹部の前記下部凸縁と係合し、前記凹部の前記上部凸縁と前記下部凸縁との間に形成した前記収納空間の中に前記係合体の前記曲がり部を配置し、前記Ｔ字体の前記凹部の壁面と前記係合体に設けた前記方形状溝との間に前記弾性部材を配置してから、前記Ｔ字体の前記凹部の中に前記位置決め体を配置し、前記位置決め体に設けた前記Ｌ字形貫通孔へ、前記係合体の底端に設けた前記突起部を貫設し、前記左被覆体及び前記右被覆体により前記Ｔ字体の両側面をそれぞれ覆ってから、前記左被覆体の前記円状溝に前記右被覆体の前記円状突起部を嵌合し、前記右被覆体に設けた前記条孔の中に、前記位置決め体の上下に設けた前記円状突起部が入り、前記左被覆体に設けた前記条孔の中に、前記Ｔ字体の後側の下部に設けた前記位置規制突起部が入り、前記位置決め体に設けた前記Ｌ字形貫通孔へ、前記係合体の底端に設けた前記突起部を貫設した後、前記右被覆体に設けた前記条孔の前記係合溝の１つに入り、
前記スリーブの前記中空部に、前記アームレストフレームを配置すると、前記アームレストフレームの前記中空部に前記昇降構造が位置し、前記アームレスト本体の前記ネジ孔と、前記昇降構造の前記Ｔ字体の前記貫通孔と、前記スリーブの頂部に設けた前記貫通孔とを位置合わせしてから締結することを特徴とする椅子用アームレストの昇降構造が提供される。
【００１４】
前記第２の実施形態において、前記係合体は、前記Ｔ字体の前記下部凸縁に係合した前記弧状凹部を支点として、前記係合溝から出るように前記突起部を回転させ、前記方形状溝に設けた前記弾性部材の弾性回復力により、対応する前記係合溝の中に前記突起部を嵌合させることが好ましい。
【００１５】
前記第２の実施形態において、前記Ｔ字体を上下に調整する際、前記Ｔ字体の上下の移動範囲を拘束するために、前記Ｔ字体の後側に設けた前記位置規制突起部が前記左被覆体の前記条孔の中で上下に変位することが好ましい。
【００１６】
前記第２の実施形態において、前記昇降構造の前記位置決め体の上方に設けた前記円状突起部が、前記右被覆体の前記条孔の最上端に当接されると上方へ変位しなくなるため、前記係合体の前記突起部が上方へ変位しなくなり、前記位置決め体の前記Ｌ字形貫通孔の左側頂端に位置すると、前記位置決め体の前記Ｌ字形貫通孔により、前記係合体の前記突起部が位置決めされ、前記右被覆体の前記係合溝に係合されず、前記アームレスト本体が押下されると底部までスムーズに変位し、前記アームレスト本体を最低位置から上方へ持ち上げ、位置を調整して位置決めすることが好ましい。
【考案の効果】
【００１７】
本考案の椅子用アームレストの昇降構造は、下記（１）〜（３）の効果を奏する。
（１）アームレスト本体の高さを所望の位置に調整して固定し、ユーザの腕を良好に支持することにより、座り心地を快適にすることができる。
（２）押圧体によりアームレスト本体及び昇降構造を駆動し、右被覆体に設けた係合溝から昇降構造の係合体に設けた突起部を外すと、アームレストの位置を上下に調整したり、右被覆体に設けた係合溝に突起部を係合させ、アームレストを所望の位置へ簡単に固定することができる。
（３）昇降構造のＴ字体の適宜な箇所に設けられた位置規制突起部を左被覆体の条孔の中に挿設することにより、昇降構造の上下の移動範囲を制限することができる。
【図面の簡単な説明】
【００１８】
【図１】本考案の一実施形態による椅子用アームレストの昇降構造を示す斜視図である。
【図２】本考案の一実施形態による椅子用アームレストの昇降構造を前方から見たときの状態を示す分解斜視図である。
【図３】本考案の一実施形態による椅子用アームレストの昇降構造を後方から見たときの状態を示す分解斜視図である。
【図４】Ｔ字体の部分拡大図である。
【図５】本考案の一実施形態による椅子用アームレストの昇降構造を示す断面図である。
【図６】本考案の一実施形態による椅子用アームレストの昇降構造を示す断面図である。
【図７】本考案の一実施形態による椅子用アームレストの動作状態を示す断面図である。
【図８】本考案の一実施形態による椅子用アームレストの動作状態を示す断面図である。
【図９】本考案の一実施形態による椅子用アームレストの動作状態を示す断面図である。
【図１０】本考案の一実施形態による椅子用アームレストの動作状態を示す断面図である。
【図１１】本考案の一実施形態による椅子用アームレストの動作状態を示す断面図である。
【図１２】本考案の一実施形態による椅子用アームレストの動作状態を示す断面図である。
【図１３】本考案の他の実施形態による椅子用アームレストの昇降構造を示す斜視図である。
【図１４】本考案の他の実施形態による椅子用アームレストの昇降構造を前方から見たときの状態を示す分解斜視図である。
【図１５】本考案の他の実施形態による椅子用アームレストの昇降構造を後方から見たときの状態を示す分解斜視図である。
【図１６】Ｔ字体の部分拡大図である。
【図１７】本考案の他の実施形態による椅子用アームレストの昇降構造を示す断面図である。
【図１８】本考案の他の実施形態による椅子用アームレストの昇降構造を示す断面図である。
【図１９】本考案の他の実施形態による椅子用アームレストの動作状態を示す断面図である。
【図２０】本考案の他の実施形態による椅子用アームレストの動作状態を示す断面図である。
【図２１】本考案の他の実施形態による椅子用アームレストの動作状態を示す断面図である。
【図２２】本考案の他の実施形態による椅子用アームレストの動作状態を示す断面図である。
【図２３】本考案の他の実施形態による椅子用アームレストの動作状態を示す断面図である。
【考案を実施するための最良の形態】
【００１９】
以下、本考案の実施形態について図面に基づいて説明する。なお、これによって本考案が限定されるものではない。
【００２０】
図１〜図６を参照する。図１〜図６に示すように、本考案の一実施形態による椅子用アームレストの昇降構造は、アームレスト本体１、第１昇降構造２、第１スリーブ３、アームレストフレーム４及び押圧体５を含む。アームレスト本体１の適宜な箇所には、２つのネジ孔１０が設けられている。
【００２１】
本実施形態の第１昇降構造２は、Ｔ字体２１、係合体２２、第１位置決め体２３、弾性部材２４、左被覆体２５ａ及び右被覆体２５ｂを含む。Ｔ字体２１は、アームレスト本体１のネジ孔１０に対応するように、頂部の両側に設けられた第２貫通孔２１０と、第１位置決め体２３を設置するために、垂直セクションの側部に設けられた凹部２１１とを有する。凹部２１１は、上部の適宜な箇所に設けられた第１突起部２１２と、下部の適宜な箇所に設けられた上部凸縁２１３ａ及び下部凸縁２１３ｂとを有する。上部凸縁２１３ａと下部凸縁２１３ｂとの間には、収納空間２１４が設けられている。Ｔ字体２１は、後側の下部に設けた位置規制突起部２１５を有する。
【００２２】
係合体２２は、頂端に設けられた曲部２２０を有する。この曲部２２０下には、弧状凹部２２１が設けられている。係合体２２は、側部に設けられた第１方形状溝２２２と、底端の適宜な箇所に設けられ、右被覆体２５ｂの係合溝２５２に係合する第２突起部２２３と、を有する。
【００２３】
第１位置決め体２３は、凸縁２３０を頂部に有し、Ｔ字体２１の第１突起部２１２に対応するように楕円孔２３２が上端に設けられ、逆Ｌ字形貫通孔２３３が下端に設けられている。
【００２４】
左被覆体２５ａは、適宜な箇所に第２条孔２５３を有し、両側の平面部には、複数の円状溝２５４が均等に間隔をおいて設けられている。
【００２５】
右被覆体２５ｂは、左被覆体２５ａに設けた第２条孔２５３に対応するように、複数の係合溝２５２を有する第１条孔２５１が均等に間隔をおいて設けられている。両側の平面部には、左被覆体２５ａの両側の平面部に設けた円状溝２５４に対応するように、円状溝２５４の中に挿入する第２円状突起部２５５が設けられている。係合体２２の曲部２２０下に設けた弧状凹部２２１は、Ｔ字体２１の凹部２１１の下部凸縁２１３ｂと係合する。凹部２１１の上部凸縁２１３ａと下部凸縁２１３ｂとの間に形成した収納空間２１４の中には、係合体２２の曲部２２０を配置し、Ｔ字体２１の凹部２１１の壁面と係合体２２に設けた第１方形状溝２２２との間に弾性部材２４を配置してから、Ｔ字体２１の凹部２１１の中に第１位置決め体２３を配置する。これにより、第２位置決め体２３の上端に設けた楕円孔２３２は、Ｔ字体２１の上部に設けられた第１突起部２１２に外嵌され、第１位置決め体２３の下端に設けた逆Ｌ字形貫通孔２３３へ、係合体２２の底端に設けた第２突起部２２３を貫設し、Ｔ字体２１の両側面を左被覆体２５ａ及び右被覆体２５ｂにより覆う。その後、左被覆体２５ａの円状溝２５４に右被覆体２５ｂの第２円状突起部２５５を嵌合し、左被覆体２５ａの第１ピン孔２５６ａと、右被覆体２５ｂの第２ピン孔２５６ｂとを位置合わせすると、左被覆体２５ａに設けた第２条孔２５３の中にＴ字体２１の後側下部に設けた位置規制突起部２１５が位置する。係合体２２の底端に設けられた第２突起部２２３は、第１位置決め体２３に設けられた逆Ｌ字形貫通孔２３３に貫設した後、右被覆体２５ｂに設けられた第１条孔２５１の係合溝２５２の１つに係合させる。これにより、第１昇降構造２の製作が完了する。
【００２６】
第１スリーブ３は、アームレストフレーム４を挿入するために用いる第１中空部３０を有し、第１昇降構造２のＴ字体２１の第２の貫通孔２１０に対応するように設けられた第１貫通孔３１を頂部の両側に有し、第１位置決め体２３の凸縁２３０を貫設するために用いる方形状孔３２が側部の適宜な箇所に設けられている。
【００２７】
アームレストフレーム４は、第１昇降構造２を収納するために用いる第２中空部４０を有し、互いに対応する第３ピン孔４１及び第４ピン孔４２が両側面に設けられている。
【００２８】
押圧体５は、Ｌ字状であり、第１位置決め体２３の凸縁２３０を挿入するために用いる第２方形状溝５０を垂直面に有する。
【００２９】
アームレストフレーム４に第１スリーブ３の第１中空部３０を配置すると、アームレストフレーム４の第２中空部４０に第１昇降構造２が位置する。第１ピン孔２５６ａと第２ピン孔２５６ｂとが位置合わせされるように、左被覆体２５ａと右被覆体２５ｂとが接続され、アームレストフレーム４の第３ピン孔４１と第４ピン孔４２とが位置合わせされてからピン６を挿設すると、左被覆体２５ａ及び右被覆体２５ｂとアームレストフレーム４とが結合されるとともに、第１スリーブ３の側部に設けた方形状孔３２に、第１位置決め体２３の頂部に設けられた凸縁２３０を貫設する。第１位置決め体２３の頂部に設けられた凸縁２３０には押圧体５が外嵌される。押圧体５の側部に設けられた第２方形状溝５０は、凸縁２３０に外嵌されて第１位置決め体２３と結合される。アームレスト本体１のネジ孔１０と、第１昇降構造２のＴ字体２１の第２貫通孔２１０と、第１スリーブ３の上部に設けた第１貫通孔３１とを位置合わせしてからネジ７で締結し、椅子用アームレストの昇降構造を製作する。この際、係合体２２の底端に設けられた第２突起部２２３は、第１位置決め体２３の下端に設けられた逆Ｌ字形貫通孔２３３に貫設され、右被覆体２５ｂの第１条孔２５１の最下端に設けた係合溝２５２の中に入れられる。Ｔ字体２１の上部に設けられた第１突起部２１２は、第１位置決め体２３の上部に設けられた楕円孔２３２の頂端に位置し、Ｔ字体２１の後側に設けられた位置規制突起部２１５は、左被覆体２５ａに設けられた第２条孔２５３の底端に位置する（図５及び図６に示す）。
【００３０】
図７〜図１２を参照する。図７〜図１２に示すように、本考案の一実施形態による椅子用アームレストの昇降構造は、押圧体５を引き上げると、第１昇降構造２のＴ字体２１に結合されたアームレスト本体１及び第１スリーブ３が連動して上昇する。係合体２２は、Ｔ字体２１の上昇に伴って上昇し、Ｔ字体２１の下部凸縁２１３ｂに係合した弧状凹部２２１を支点として、底端に設けられた第２突起部２２３を係合溝２５２から出るように回転させ、所望の位置までアームレストを上昇させると、第２突起部２２３は、側部に有する第１方形状溝２２２に設けた弾性部材２４の弾性回復力により、対応する係合溝２５２の中に第２突起部２２３が嵌合される（図７に示す）。
【００３１】
係合体２２を上方へ移動させ、右被覆体２５ｂの第１条孔２５１の最上端の係合溝２５２へ第２突起部２２３を入れる際は、右被覆体２５ｂの係合溝２５２へ係合体２２の第２突起部２２３が挿入されるまで押圧体５を引くと、Ｔ字体２１の後側に設けられた位置規制突起部２１５が左被覆体２５ａの第２条孔２５３の頂端まで変位し、Ｔ字体２１の位置を拘束する（図８及び図９に示す）。
【００３２】
Ｔ字体２１及び係合体２２がそれ以上上方へ移動できなくなると、押圧体５を押圧する。第１位置決め体２３は、押圧体５が押圧されると、上部に設けられた楕円孔２３２により上方へ変位する。Ｔ字体２１の上部に設けられた第１突起部２１２は、第１位置決め体２３の上部に設けられた楕円孔２３２の頂部から底部へ変位し、係合体２２の底端に設けられた第２突起部２２３が第１位置決め体２３の逆Ｌ字形貫通孔２３３の底端へ入って位置が拘束される（図８及び図１０に示す）。
【００３３】
アームレスト本体１を下方へ押圧する際は、押圧体５を押圧し続けるため、第１位置決め体２３の逆Ｌ字形貫通孔２３３の底端から係合体２２の第２突起部２２３が外れることを防ぎ、第１位置決め体２３の逆Ｌ字形貫通孔２３３により係合体２２の第２突起部２２３の位置が拘束される。そのため、下方へ変位する際に、右被覆体２５ｂの係合溝２５２が嵌合されずに、第１昇降構造２のＴ字体２１、係合体２２、第１位置決め体２３及び第１スリーブ３のアームレスト本体１を下方へ押圧して変位させると、第１位置決め体２３の逆Ｌ字形貫通孔２３３から係合体２２の第２突起部２２３がスムーズに摺動して外れる（図１１に示す）。この際、Ｔ字体２１の底端に設けた位置規制突起部２１５が、左被覆体２５ａの第２条孔２５３の底端まで変位し（図１２に示す）、アームレスト本体１の高さを調整して固定することができる。押圧体５を引き上げながらアームレスト本体１を上昇させると、右被覆体２５ｂに設けられた係合溝２５２の１つに、係合体２２の底端に設けられた第２突起部２２３が係合され、アームレスト本体１の位置を調整して固定することができる。
【００３４】
図１３〜図１８を参照する。図１３〜図１８に示すように、本考案の他の実施形態による第２昇降構造２ａの第２位置決め体２３ａは、第１位置決め体２３の機能を代替する。第２位置決め体２３ａは、適宜な箇所にＬ字形貫通孔２３４が設けられた四方体である。Ｌ字形貫通孔２３４の前側には、上方に第１円状突起部２３５が設けられ、下方に第２円状突起部２３６が設けられている。第２位置決め体２３ａの側部には、中空状の波状凸縁２３７が設けられている。
【００３５】
係合体２２の頂端部に設けられた曲部２２０下に設けられた弧状凹部２２１は、Ｔ字体２１の凹部２１１に設けられた下部凸縁２１３ｂに係合され、凹部２１１の上部凸縁２１３ａと下部凸縁２１３ｂとの間に設けた収納空間２１４の中に、係合体２２の曲部２２０を配置し、Ｔ字体２１の凹部２１１の壁面と、係合体２２に設けられた第１方形状溝２２２との間に弾性部材２４を配置する。その後、Ｔ字体２１の凹部２１１の適宜な箇所に第２位置決め体２３ａを配置する。第２位置決め体２３ａに設けられたＬ字形貫通孔２３４には、係合体２２の底端に設けられた第２突起部２２３を貫設し、Ｔ字体２１の両側面を左被覆体２５ａ及び右被覆体２５ｂでそれぞれ覆った後、左被覆体２５ａの円状溝２５４に右被覆体２５ｂの第２円状突起部２５５を係合させると、Ｔ字体２１の後側の下部に設けられた位置規制突起部２１５が左被覆体２５ａの第２条孔２５３の中に位置する。係合体２２の底端に設けられた第２突起部２２３は、第２位置決め体２３ａに設けられたＬ字形貫通孔２３４に貫設された後、右被覆体２５ｂに設けた第１条孔２５１の係合溝２５２の１つに嵌入され、第２位置決め体２３ａの第１円状突起部２３５及び第２円状突起部２３６が右被覆体２５ｂの第１条孔２５１の中に位置し、第２昇降構造２ａを構成する。
【００３６】
本実施形態の椅子用アームレストの昇降構造は、第２スリーブ３ａの第２中空部３０ａに、アームレストフレーム４を配置すると、アームレストフレーム４の第２中空部４０に第２昇降構造２ａが位置し、アームレスト本体１のネジ孔１０と、第２昇降構造２ａのＴ字体２１の第２貫通孔２１０と、第２スリーブ３ａの頂部に設けられた第３貫通孔３１ａとを位置合わせしてからネジ７で締結する。この際、第２位置決め体２３ａのＬ字形貫通孔２３４に、係合体２２の底端に設けた第２突起部２２３を貫設し、右被覆体２５ｂの第１条孔２５１の最下端に設けた係合溝２５２の中に入れ、第２位置決め体２３ａに設けた第２円状突起部２３６が右被覆体２５ｂの第１条孔２５１の下端に当接される。Ｔ字体２１の後側に設けられた位置規制突起部２１５は、左被覆体２５ａに設けられた第２条孔２５３の底端に入る（図１７及び図１８に示す）。
【００３７】
図１９〜図２３に示すように、本考案の他の実施形態による椅子用アームレストの昇降構造は、アームレスト本体１を持ち上げると、アームレスト本体１に結合された第２昇降構造２ａのＴ字体２１及び第２スリーブ３ａが連動して上昇する。係合体２２及び第２位置決め体２３ａは、Ｔ字体２１の上昇に伴って上昇する。この際、係合体２２は、Ｔ字体２１の下部凸縁２１３ｂに係合した弧状凹部２２１を支点として、底端に設けられた第２突起部２２３を係合溝２５２から出るように回転させ、所望の位置までアームレストを上昇させると、第２突起部２２３は、第１方形状溝２２２に設けた弾性部材２４の弾性回復力により、対応する係合溝２５２の中に第２突起部２２３が嵌合される（図１９に示す）。    
【００３８】
右被覆体２５ｂの第１条孔２５１の最上端の係合溝２５２へ第２突起部２２３を入れる際は、第２位置決め体２３ａに設けた第１円状突起部２３５は、右被覆体２５ｂの第１条孔２５１の頂端に当接され、上方へ移動できなくなる。アームレスト本体１を引き上げ続けると、Ｔ字体２１により係合体２２が上昇し続ける。係合体２２の底端に設けた第２突起部２２３を係合溝２５２から出るように回転させ、第２位置決め体２３ａのＬ字形貫通孔２３４の左側の頂端に入る（図２０に示す）。
【００３９】
これにより、第２突起部２２３は、第２位置決め体２３ａのＬ字形貫通孔２３４の左側の頂端で位置が拘束され、左被覆体２５ａの第２条孔２５３の頂端まで、Ｔ字体２１の後側に設けた位置規制突起部２１５が上昇される（図２１に示す）。係合体２２の底端に設けた第２突起部２２３が第２位置決め体２３ａのＬ字形貫通孔２３４に拘束され、Ｔ字体２１が下方へ変位する際、右被覆体２５ｂの係合溝２５２に嵌入されないため、Ｔ字体２１、第２位置決め体２３ａ及び第２スリーブ３ａとともに、アームレスト本体１を下方へ押圧し、底部までスムーズに変位する（図２２に示す）。
【００４０】
アームレスト本体１を下方へ変位させると、右被覆体２５ｂの第１条孔２５１の底端に、第２位置決め体２３ａの第２円状突起部２３６が当接され、第２位置決め体２３ａがさらに下方へ変位することがなくなる。Ｔ字体２１及び係合体２２を下方へ変位させ続け、アームレスト本体１が下方に押圧され続けるため、係合体２２の第２突起部２２３が第２位置決め体２３ａのＬ字形貫通孔２３４の左側の頂端から外れ、左被覆体２５ａの第２条孔２５３の下端までＴ字体２１の後側に設けた位置規制突起部２１５が変位する（図２２及び図２３に示す）。
【００４１】
これにより、アームレスト本体１の高さを調整することができる。つまり、本実施形態の椅子用アームレストの昇降構造は、アームレスト本体１を上方へ引き上げ、係合体２２の底端に設けた第２突起部２２３を、右被覆体２５ｂの係合溝２５２の１つに係合することにより、アームレスト本体１の高さを調整して固定することができる。
【００４２】
以上、本考案の好適な実施形態を前述の通り開示したが、これらは決して本考案を限定するものではない。本考案の主旨と領域を脱しない範囲内での変更や修正は、本考案の範囲内のものであることは当然のことである。
【符号の説明】
【００４３】
１        アームレスト本体
２        第１昇降構造
２ａ      第２昇降構造
３        第１スリーブ
３ａ      第２スリーブ
４        アームレストフレーム
５        押圧体
６        ピン
７        ネジ
１０      ネジ孔
２１      Ｔ字体
２２      係合体
２３      第１位置決め体
２３ａ    第２位置決め体
２４      弾性部材
２５ａ    左被覆体
２５ｂ    右被覆体
３０      第１中空部
３０ａ    第２中空部
３１      第１貫通孔
３１ａ    第３貫通孔
３２      方形状孔
４０      第２中空部
４１      第３ピン孔
４２      第４ピン孔
５０      第２方形状溝
２１０    第２貫通孔
２１１    凹部
２１２    第１突起部
２１３ａ  上部凸縁
２１３ｂ  下部凸縁
２１４    収納空間
２１５    位置規制突起部
２２０    曲部
２２１    弧状凹部
２２２    第１方形状溝
２２３    第２突起部
２３０    凸縁
２３２    楕円孔
２３３    逆Ｌ字形貫通孔
２３４    Ｌ字形貫通孔
２３５    第１円状突起部
２３６    第２円状突起部
２３７    波状凸縁
２５１    第１条孔
２５２    係合溝
２５３    第２条孔
２５４    円状溝
２５５    第２円状突起部
２５６ａ  第１ピン孔
２５６ｂ  第２ピン孔
【図１】
0003162530.tif 000003
【図２】
0003162530.tif 000004
【図３】
0003162530.tif 000005
【図４】
0003162530.tif 000006
【図５】
0003162530.tif 000007
【図６】
0003162530.tif 000008
【図７】
0003162530.tif 000009
【図８】
0003162530.tif 000010
【図９】
0003162530.tif 000011
【図１０】
0003162530.tif 000012
【図１１】
0003162530.tif 000013
【図１２】
0003162530.tif 000014
【図１３】
0003162530.tif 000015
【図１４】
0003162530.tif 000016
【図１５】
0003162530.tif 000017
【図１６】
0003162530.tif 000018
【図１７】
0003162530.tif 000019
【図１８】
0003162530.tif 000020
【図１９】
0003162530.tif 000021
【図２０】
0003162530.tif 000022
【図２１】
0003162530.tif 000023
【図２２】
0003162530.tif 000024
【図２３】
0003162530.tif 000025
【手続補正書】
【提出日】平成22年7月6日(2010.7.6)
【手続補正１】
【補正対象書類名】実用新案登録請求の範囲
【補正対象項目名】全文
【補正方法】変更
【補正の内容】
【実用新案登録請求の範囲】
【請求項１】
アームレスト本体、昇降構造、スリーブ、アームレストフレーム及び押圧体を備える椅子用アームレストの昇降構造であって、
前記アームレスト本体の適宜な箇所には、２つのネジ孔が設けられ、
前記スリーブは、前記アームレストフレームを挿入するために用いる中空部を有し、頂部の両側にそれぞれ貫通孔が設けられ、その側部の適宜な箇所に位置決め体が貫設される方形状孔が設けられ、
前記アームレストフレームは、前記昇降構造を収納する中空部を有し、
前記押圧体は、Ｌ字状であり、方形状溝を垂直面に有し、
前記昇降構造は、Ｔ字体、係合体、位置決め体、弾性部材、左被覆体及び右被覆体を有し、前記Ｔ字体は、頂部の両側に前記アームレスト本体の前記ネジ孔に対応するように貫通孔が設けられ、垂直セクションの側部には、前記位置決め体を設置するために用いる凹部が設けられ、前記凹部は、上部の適宜な箇所に突起部が設けられ、下部の適宜な箇所に上部凸縁及び下部凸縁が設けられ、前記上部凸縁と前記下部凸縁との間には、収納空間が設けられ、前記Ｔ字体の後側の下部には、位置規制突起部が設けられ、
前記係合体は、下に弧状凹部を有する曲がり部が頂端に設けられ、側部に方形状溝が設けられ、底端の適宜な箇所に突起部が設けられ、
前記位置決め体は、頂部に設けられた凸縁と、前記Ｔ字体の前記突起部に対応するように上部に設けられた楕円孔と、下部に設けられた逆Ｌ字形貫通孔とを有し、
前記左被覆体は、適宜な箇所に設けられた条孔と、均等に間隔をおいて両側に設けられた複数の円状溝とを有し、
前記右被覆体は、前記左被覆体に設けた前記条孔に対応するように、均等に間隔をおいて設けられた複数の係合溝を有する条孔を有し、前記左被覆体の両側に設けた前記円状溝に対応するように、前記円状溝の中に挿入する円状突起部が両側に設けられ、
前記係合体の頂端の前記曲がり部下に設けた前記弧状凹部は、前記Ｔ字体の前記凹部の前記下部凸縁と係合し、前記凹部の前記上部凸縁と前記下部凸縁との間に形成した前記収納空間の中に前記係合体の前記曲がり部を配置し、前記Ｔ字体の前記凹部の壁面と前記係合体に設けた前記方形状溝との間に前記弾性部材を配置してから、前記Ｔ字体の前記凹部の中に前記位置決め体を配置し、前記Ｔ字体の上部の前記突起部に上部の前記楕円孔を外嵌し、前記位置決め体の下端に設けた前記逆Ｌ字形貫通孔へ、前記係合体の底端に設けた前記突起部を貫設し、前記左被覆体及び前記右被覆体により前記Ｔ字体の両側面をそれぞれ覆ってから、前記左被覆体の前記円状溝に前記右被覆体の前記円状突起部を嵌合し、前記左被覆体に設けた前記条孔の中に、前記Ｔ字体の後側の下部に設けた前記突起部が入り、前記位置決め体に設けた前記逆Ｌ字形貫通孔へ、前記係合体の底端に設けた前記突起部を貫設した後、前記右被覆体に設けた前記条孔の前記係合溝の１つに入り、
前記スリーブの前記中空部に、前記アームレストフレームを配置すると、前記アームレストフレームの中空部に前記昇降構造が位置し、前記スリーブの側部に設けた前記方形状孔に、前記位置決め体の頂部の前記凸縁を貫設し、前記位置決め体の頂部の前記凸縁に前記押圧体が外嵌し、前記アームレスト本体の前記ネジ孔と、前記昇降構造の前記Ｔ字体の前記貫通孔と、前記スリーブの頂部に設けた前記貫通孔とを位置合わせしてから締結することを特徴とする椅子用アームレストの昇降構造。
【請求項２】
前記係合体は、前記Ｔ字体の前記下部凸縁に係合した前記弧状凹部を支点として、前記係合溝から出るように前記突起部を回転させ、前記方形状溝に設けた前記弾性部材の弾性回復力により、対応する前記係合溝の中に前記突起部を嵌合させることを特徴とする請求項１に記載の椅子用アームレストの昇降構造。
【請求項３】
前記Ｔ字体を上下に調整する際、前記Ｔ字体の上下の移動範囲を拘束するために、前記Ｔ字体の後側に設けた前記位置規制突起部が前記左被覆体の前記条孔の中で上下に変位す
ることを特徴とする請求項１に記載の椅子用アームレストの昇降構造。
【請求項４】
前記位置決め体は、前記押圧体の押圧により上方へ移動可能な状態となり、前記位置決め体の前記逆Ｌ字形貫通孔の左側の底端に前記係合体の前記突起部が位置すると、前記位置決め体の前記逆Ｌ字形貫通孔により、前記係合体の前記突起部が位置決めされ、前記右被覆体の前記係合溝に嵌入されず、前記押圧体が押圧された状態で、前記アームレスト本体が押下されると底部までスムーズに変位し、前記アームレスト本体を最低位置から上方へ引き上げ、位置を調整して位置決めすることを特徴とする請求項１に記載の椅子用アームレストの昇降構造。
【請求項５】
アームレスト本体、昇降構造、スリーブ及びアームレストフレームを備える椅子用アームレストの昇降構造であって、
前記アームレスト本体の適宜な箇所には、２つのネジ孔が設けられ、
前記スリーブは、前記アームレストフレームを挿入するために用いる中空部を有し、頂部の両側にそれぞれ貫通孔が設けられ、
前記アームレストフレームは、前記昇降構造を収納する中空部を有し、
前記昇降構造は、Ｔ字体、係合体、位置決め体、弾性部材、左被覆体及び右被覆体を有し、前記Ｔ字体は、頂部の両側に前記アームレスト本体の前記ネジ孔に対応するように貫通孔が設けられ、垂直セクションの側部には、前記位置決め体を設置するために用いる凹部が設けられ、前記凹部は、上部の適宜な箇所に突起部が設けられ、下部の適宜な箇所に上部凸縁及び下部凸縁が設けられ、前記上部凸縁と前記下部凸縁との間には、収納空間が設けられ、前記Ｔ字体の後側の下部には、位置規制突起部が設けられ、
前記係合体は、下方に弧状凹部を有する曲がり部が頂端に設けられ、側部に方形状溝が設けられ、底端の適宜な箇所に突起部が設けられ、
前記位置決め体は、四方体であり、適宜な箇所にＬ字形貫通孔が設けられ、前記Ｌ字形貫通孔の上下部分には、それぞれ円状突起部が設けられ、側部に中空状の波状凸縁が設けられ、
前記左被覆体は、適宜な箇所に設けられた条孔と、均等に間隔をおいて両側に設けられた複数の円状溝とを有し、
前記右被覆体は、前記左被覆体に設けた前記条孔に対応するように、均等に間隔をおいて設けられた複数の係合溝を有する条孔を有し、前記左被覆体の両側に設けた前記円状溝に対応するように、前記円状溝の中に挿入する円状突起部が両側に設けられ、
前記係合体の頂端の前記曲がり部下に設けた前記弧状凹部は、前記Ｔ字体の前記凹部の前記下部凸縁と係合し、前記凹部の前記上部凸縁と前記下部凸縁との間に形成した前記収納空間の中に前記係合体の前記曲がり部を配置し、前記Ｔ字体の前記凹部の壁面と前記係合体に設けた前記方形状溝との間に前記弾性部材を配置してから、前記Ｔ字体の前記凹部の中に前記位置決め体を配置し、前記位置決め体に設けた前記Ｌ字形貫通孔へ、前記係合体の底端に設けた前記突起部を貫設し、前記左被覆体及び前記右被覆体により前記Ｔ字体の両側面をそれぞれ覆ってから、前記左被覆体の前記円状溝に前記右被覆体の前記円状突起部を嵌合し、前記右被覆体に設けた前記条孔の中に、前記位置決め体の上下に設けた前記円状突起部が入り、前記左被覆体に設けた前記条孔の中に、前記Ｔ字体の後側の下部に設けた前記位置規制突起部が入り、前記位置決め体に設けた前記Ｌ字形貫通孔へ、前記係合体の底端に設けた前記突起部を貫設した後、前記右被覆体に設けた前記条孔の前記係合溝の１つに入り、
前記スリーブの前記中空部に、前記アームレストフレームを配置すると、前記アームレストフレームの前記中空部に前記昇降構造が位置し、前記アームレスト本体の前記ネジ孔と、前記昇降構造の前記Ｔ字体の前記貫通孔と、前記スリーブの頂部に設けた前記貫通孔とを位置合わせしてから締結することを特徴とする椅子用アームレストの昇降構造。
【請求項６】
前記係合体は、前記Ｔ字体の前記下部凸縁に係合した前記弧状凹部を支点として、前記
係合溝から出るように前記突起部を回転させ、前記方形状溝に設けた前記弾性部材の弾性回復力により、対応する前記係合溝の中に前記突起部を嵌合させることを特徴とする請求項５に記載の椅子用アームレストの昇降構造。
【請求項７】
前記Ｔ字体を上下に調整する際、前記Ｔ字体の上下の移動範囲を拘束するために、前記Ｔ字体の後側に設けた前記位置規制突起部が前記左被覆体の前記条孔の中で上下に変位することを特徴とする請求項５に記載の椅子用アームレストの昇降構造。
【請求項８】
前記昇降構造の前記位置決め体の上方に設けた前記円状突起部が、前記右被覆体の前記条孔の最上端に当接されると上方へ変位しなくなるため、前記係合体の前記突起部が上方へ変位しなくなり、前記位置決め体の前記Ｌ字形貫通孔の左側頂端に位置すると、前記位置決め体の前記Ｌ字形貫通孔により、前記係合体の前記突起部が位置決めされ、前記右被覆体の前記係合溝に係合されず、前記アームレスト本体が押下されると底部までスムーズに変位し、前記アームレスト本体を最低位置から上方へ持ち上げ、位置を調整して位置決めすることを特徴とする請求項５に記載の椅子用アームレストの昇降構造。